(57)【要約】【課題】自動取引装置における省電力化図ることを目的とする。【解決手段】自動取引装置１０であって、被搬送体の搬送路３８０、３９０と、前記被搬送体の位置を検知するためのセンサ３９１〜３９６と、前記搬送路に沿って設けられ、前記被搬送体に対して処理を行う複数の処理部３１０、３２０、３３０、３４０、３５０、３６０と、前記複数の処理部に対して電源を供給する電源供給部２４０、２７０と、前記被搬送体の位置に応じて前記複数の処理部の内の一部の処理部に対して電源を供給させ、他の処理部に対して電源を供給させないように、前記電源供給部から前記複数の処理部への電源供給の有無を前記被搬送体の位置に応じて切り替える制御部２００と、を備える。【選択図】図３
2010066940.tif 000002
【特許請求の範囲】
【請求項１】
自動取引装置であって、
被搬送体の搬送路と、
前記被搬送体の位置を検知するためのセンサと、
前記搬送路に沿って設けられ、前記被搬送体に対して処理を行う複数の処理部と、
前記複数の処理部に対して電源を供給する電源供給部と、
前記被搬送体の位置に応じて前記複数の処理部の内の一部の処理部に対して電源を供給させ、他の処理部に対して電源を供給させないように、前記電源供給部から前記複数の処理部への電源供給の有無を前記被搬送体の位置に応じて切り替える制御部と、
を備える自動取引装置。
【請求項２】
請求項１に記載の自動取引装置において、
前記センサは、各処理部の前後に配置されている、自動取引装置。
【請求項３】
請求項１又は請求項２に記載の自動取引装置において、
前記被搬送体の移動方向により、電源が供給される処理部が異なる、自動取引装置。
【請求項４】
請求項１から請求項３のいずれかに記載の自動取引装置において、
前記被搬送体が前記処理部を通過した後は、前記制御部は、前記被搬送体が通過した処理部に対する電源供給を停止する、自動取引装置。
【請求項５】
請求項１から請求項４のいずれかに記載の自動取引装置において、
前記被搬送体の移動方向が同じであっても、前記処理部において被搬送体を新規発行する場合と、前記処理部において前記被搬送体を更新する場合とで、電源が供給される処理部が異なる、自動取引装置。
【請求項６】
請求項１から請求項５のいずれかに記載の自動取引装置において、
前記搬送路が分岐している場合には、前記制御部は、前記被搬送体が搬送された方の分岐搬送路に沿って設けられた１つ以上の処理部に対して電源を供給し、前記搬送体が搬送されなかった方の分岐搬送路に沿って設けられたすべての処理部に対して電源を供給しない、自動取引装置。
【請求項７】
請求項１から請求項６のいずれかに記載の自動取引装置において、さらに、
顧客検知センサを備え、
前記複数の処理部は、前記被搬送体の挿入と排出とを行う挿入排出処理部を含み、
前記制御部は、前記顧客センサにより顧客を検知したときに、前記挿入排出部処理部に対し電源を供給する、自動取引装置。
【請求項８】
自動取引装置の制御方法であって、
搬送路に沿って被搬送体を搬送する工程と、
前記被搬送体の位置を検知する工程と、
前記搬送路に沿って設けられた複数の処理部により前記被搬送体に対して処理を行う工程と、
前記被搬送体の位置に応じて前記複数の処理部の内の一部の処理部に対して電源を供給させ、他の処理部に対して電源を供給させないように、前記電源供給部から前記複数の処理部への電源供給の有無を前記被搬送体の位置に応じて切り替える工程と、
を備える、自動取引装置の制御方法。
【発明の詳細な説明】
【技術分野】
【０００１】
本発明は、自動券売機や現金自動取引装置などの自動取引装置に関し、特に自動取引装置の省電力技術に関する。
【背景技術】
【０００２】
自動取引装置に関する省電力技術としては、例えば、特許文献１に記載されたものが知られている。この装置では、取引を選択する顧客の操作を顧客操作表示ユニットで受け付けたとき、制御部が、選択された取引に基づいて電源供給テーブルを検索する。そして、制御部は、その選択された取引を行うために電源供給が必要なユニットを抽出し、そのユニットだけに電源を供給する指示を電源供給部に通知する。
【０００３】
【特許文献１】特開２００７−３２３２３０号公報
【発明の開示】
【発明が解決しようとする課題】
【０００４】
自動取引装置での取引では、顧客が取引の選択をするよりも先に自動取引装置に媒体を挿入して取引を開始しようとする場合がある。しかし、従来の自動取引装置では、顧客からの取引の選択を受け付けなければ、制御部は電源供給が必要なユニットを判定することができないという問題があった。
【０００５】
本発明は上記課題の少なくとも１つを解決し、自動取引装置における省電力化を図ることを目的とする。
【課題を解決するための手段】
【０００６】
本発明は、上述の課題の少なくとも一部を解決するためになされたものであり、以下の形態または適用例として実現することが可能である。
【０００７】
［適用例１］
自動取引装置であって、被搬送体の搬送路と、前記被搬送体の位置を検知するためのセンサと、前記搬送路に沿って設けられ、前記被搬送体に対して処理を行う複数の処理部と、前記複数の処理部に対して電源を供給する電源供給部と、前記被搬送体の位置に応じて前記複数の処理部の内の一部の処理部に対して電源を供給させ、他の処理部に対して電源を供給させないように、前記電源供給部から前記複数の処理部への電源供給の有無を前記被搬送体の位置に応じて切り替える制御部と、を備える自動取引装置。
この適用例によれば、制御部は電源供給部に対しどの処理部に電源を供給させるかは、被搬送体の位置により制御する。そのため、必要がない処理部への電源供給を行わないので、自動取引装置の省電力化が可能となる。
【０００８】
［適用例２］
適用例１に記載の自動取引装置において、前記センサは、各処理部の前後に配置されている、自動取引装置。
この適用例によれば、各処理部に個別に電源を供給するか否かを決めることが可能となる。
【０００９】
［適用例３］
適用例１又は適用例２に記載の自動取引装置において、前記被搬送体の移動方向により、電源が供給される処理部が異なる、自動取引装置。
この適用例によれば、被搬送体の移動方向により、電源を供給する処理部を異ならせることができるので、さらに効率的に省電力が可能となる。
【００１０】
［適用例４］
適用例１から適用例３のいずれかに記載の自動取引装置において、前記被搬送体が前記処理部を通過した後は、前記制御部は、前記被搬送体が通過した処理部に対する電源供給を停止する、自動取引装置。
この適用例によれば処理が終了した処理部に電源供給しないので、さらに省電力が可能となる。
【００１１】
［適用例５］
適用例１から適用例４のいずれかに記載の自動取引装置において、前記被搬送体の移動方向が同じであっても、前記処理部において被搬送体を新規発行する場合と、前記処理部において前記被搬送体を更新する場合とで、電源が供給される処理部が異なる、自動取引装置。
この適用例によれば、被搬送体の移動方向が同じであっても、処理部の処理の内容により電源が供給される処理部を異ならせることができるので、さらに省電力が可能となる。
【００１２】
［適用例６］
適用例１から適用例５のいずれかに記載の自動取引装置において、前記搬送路が分岐している場合には、前記制御部は、前記被搬送体が搬送された方の分岐搬送路に沿って設けられた１つ以上の処理部に対して電源を供給し、前記搬送体が搬送されなかった方の分岐搬送路に沿って設けられたすべての処理部に対して電源を供給しない、自動取引装置。
この適用例によれば、不要な処理部に電源供給しないので、さらに省電力が可能となる。
【００１３】
［適用例７］
適用例１から適用例６のいずれかに記載の自動取引装置において、さらに、顧客検知センサを備え、前記複数の処理部は、前記被搬送体の挿入と排出とを行う挿入排出処理部を含み、前記制御部は、前記顧客センサにより顧客を検知したときに、前記挿入排出部処理部に対し電源を供給する、自動取引装置。
この適用例によれば、被搬送体の挿入排出部は、顧客センサによる検知結果により電源が供給されるので、更なる省電力化が可能となる。
【００１４】
なお、本発明は、種々の形態で実現することが可能であり、例えば、自動取引装置の他、自動取引装置の制御方法等、様々な形態で実現することができる。
【発明を実施するための最良の形態】
【００１５】
図１は、本発明の実施例に係る自動券売機の外観を示す説明図である。この自動券売機１０は、例えば駅に設置され、切符や定期券の発券に用いられる。自動券売機１０は、発券口１１０と、カード入出口１２０と、紙幣入出口１３０と、紙幣出口１４０と、硬貨投入口１５０と、硬貨放出口１６０と、顧客操作パネル１７０とを備える。
【００１６】
発券口１１０は、顧客が購入した切符や、定期券（ＩＣカード定期券を除く）の発券口として用いられる。また、発券口１１０は、顧客が払い戻しする切符や、顧客が更新・解約する定期券を自動券売機１０が回収するときの、切符や定期券の回収口として用いられる。カード入出口１２０は、顧客が切符を購入する際に使用するクレジットカードやプリベイドカードの挿入口、ＩＣカード定期券の回収／発券口として用いられる。ここで、ＩＣカード定期券とは、カード内部にＩＣチップを内蔵した定期券を意味する。なお、ＩＣカード型定期券は、一般に非接触型のＩＣカードが用いられる。
【００１７】
紙幣入出口１３０は、顧客が切符を購入する際に使用する紙幣の挿入口として用いられる。なお、挿入された紙幣が識別不可の場合には、紙幣入出口１３０から当該紙幣が返却される。紙幣出口１４０は、顧客へ返却するつり銭紙幣の排出口として用いられる。なお、紙幣入出口１３０と紙幣出口１４０に区分せず、１つの紙幣入出口のみを備えるように自動券売機１０を構成してもよい。硬貨投入口１５０は、顧客が切符を購入する際に使用する硬貨の投入口として用いられる。硬貨放出口１６０は、顧客へ返却するつり銭硬貨の排出口として用いられる。
【００１８】
顧客操作パネル１７０は、例えばタッチパネル機能を備える液晶表示装置である。顧客操作パネル１７０は、顧客が自動券売機１０と切符や定期券の購入や、定期券の更新等の取引を行う際に、乗車区間や金額、有効期間等の購入情報を表示する。また、顧客操作パネル１７０は、切符や定期券の購入、定期券の更新において顧客の操作を受け付ける。顧客検知センサ１８０は、顧客が自動券売機１０近傍に存在しているか、存在していないかを検知するためのセンサであり、例えば、赤外線センサを用いることが可能である。
【００１９】
図２は、自動券売機の内部ブロック図である。自動券売機１０は、制御部２００と、カード処理部３００と、切符処理部４００と、紙幣処理部５００と、硬貨処理部６００と、顧客操作部７００と、装置電源２４０とを備える。制御部２００は、ＣＰＵ２１０と、メモリ２２０と、ハードディスク装置（ＨＤＤ）２３０とを備える。制御部２００は、自動券売機１０の各処理部３００、４００、５００、６００及び、顧客操作部７００の動作を制御する。カード処理部３００は挿入／排出部３１０を備え、切符処理部４００は挿入／排出部４１０を、紙幣処理部５００は挿入／排出部５１０を、硬貨処理部６００は挿入／排出部６１０を備える。挿入／排出部３１０は、図１に示すカード入出口１２０を含み、挿入／排出部４１０は、図１に示す発券口１１０を含んでいる。また、挿入／排出部５１０は、図１に示す紙幣入出口１３０と、紙幣出口１４０とを含み、挿入／排出部６１０は、図１に示す硬貨投入口１５０と、硬貨放出口１６０とを含んでいる。
【００２０】
カード処理部３００は、顧客のカードの磁気ストライブの情報、接触ＩＣカードの情報、非接触ＩＣカードの情報を読み取り、制御部２００に送信する。また、カードが非接触ＩＣカード定期券の場合には、定期券の情報を非接触ＩＣカード定期券へ書き込み、カードの表面に定期券の情報を印刷する。また、非接触ＩＣカード定期券の更新の場合は、新しい定期券情報を非接触ＩＣカード定期券へ書き込み、カード表面の古い定期券情報を消去し、新しい定期券情報をカード表面に印刷し、非接触ＩＣカード定期券を発行する。
【００２１】
切符処理部４００は、顧客が購入した切符や定期券の情報、例えば乗車区間情報や有効期間情報を、磁気データとして切符や定期券に記録するとともに表面に印刷して発券する。紙幣処理部５００は顧客からの紙幣を受け入れ、額面を鑑別して入金額情報を制御部２００に送る。また釣り銭紙幣がある場合には、切符処理部４００は、制御部２００の指示に従い顧客に釣り銭紙幣を返却する。硬貨処理部６００は、顧客からの硬貨を受け入れ、額面を鑑別して入金額を制御部２００に送る。また釣り銭硬貨がある場合には、硬貨処理部６００は、制御部２００の指示に従い顧客に釣り銭硬貨を返却する。
【００２２】
装置電源２４０は、制御部２００と、カード処理部３００と、切符処理部４００と、紙幣処理部５００と、硬貨処理部６００と、顧客操作部７００に電源を供給する。なお、このとき、装置電源２４０は、挿入／排出部３１０へは常時電源を供給し、挿入／排出部３１０を除いたカード処理部３００へは、制御部２００の指示により電源の供給、停止を切り替える。切符処理部４００と、紙幣処理部５００と、硬貨処理部６００への電源供給についても同様である。
【００２３】
ここで、自動券売機１０の全体の動作について説明する。制御部２００は顧客検知センサ１８０を用いて、顧客の有無を確認する。制御部２００に予め設定された期間、顧客検知センサ１８０が顧客を検知しなかった場合、制御部２００は、装置電源２４０に対し、省電力モード移行の指示を送信する。省電力モードでは、装置電源２４０は各処理部３００、４００、５００、６００への電源供給を停止する。但し、省電力モードにおいても、装置電源２４０は各処理部の挿入/排出部３１０、４１０、５１０、６１０への電源供給を維持することが好ましい。省電力モード中に顧客検知センサ１８０が顧客を検知した場合には、制御部２００は装置電源２４０に対し省電力モード解除の指示を送信する。これにより、装置電源２４０は、各処理部３００、４００、５００、６００への電源供給を必要に応じて再開する。電源供給の再開の仕方については後述する。なお、各処理部３００、４００、５００、６００への電源供給が完了するまでには多少のタイムラグがあるが、挿入/排出部３１０、４１０、５１０、６１０への電源供給は維持されているため、各処理部３００、４００、５００、６００の挿入/排出部３１０、４１０、５１０、６１０はクレジットカード、プリベイドカード、定期券、切符、紙幣、硬貨の受け付けが可能である。そして、制御部２００は、顧客操作パネル１７０へ取引画面を表示し、取引情報の入力を受付ける。取引情報の入力を受付ける間に各処理部３００、４００、５００、６００は、省電力モードより復旧し、自動券売機１０は、その後の取引を続けることが可能となる。
【００２４】
図３は、カード処理部３００の構成を模式的に示す説明図である。カード処理部３００は、挿入／排出部３１０の他に、磁気／接触ＩＣカードリード部３２０と、非接触ＩＣカードリード／ライト部３３０と、印字／消去部３４０と、ホッパ部３５０と、回収部３６０と、カード処理部電源回路３７０と、搬送路３８０と、カードセンサ３９１〜３９６を備える。処理部３２０、３３０、３４０、３５０は、搬送路３８０に沿って配置されている。回収部３６０は、分岐搬送路３８２上に配置されている。この分岐搬送路３８２は、磁気／接触ＩＣカードリード部３２０と、非接触ＩＣカードリード／ライト部３３０との間の位置で主要な搬送路３８０から分岐している。挿入/排出部３１０は、図１に示すカード出入口１２０に隣接して配置されている。挿入／排出部３１０は、搬送路３８０とは独立し、挿入/排出部３１０内で動作する挿入/排出部搬送路３９０を備えている。ここで、搬送路３８０と挿入／排出部搬送路３９０は、接続されている。すなわち、挿入/排出部３１０及び処理部３２０、３３０、３４０、３５０、３６０は挿入／排出部搬送路３９０及び搬送路３８０、３８２に沿って配置されている。カードセンサ３９１〜３９６は、挿入／排出部搬送路３９０及び搬送路３８０、３８２上の、挿入/排出部３１０及び処理部３２０、３３０、３４０、３５０、３６０の前に配置されている。
【００２５】
挿入/排出部３１０は、顧客が挿入するカード９００を取り込み、カード処理が終了したカード９００を排出する。磁気/接触ＩＣカードリード部３２０は、カード９００の磁気ストライプの情報を読み取る。また、カード９００が接触ＩＣカードの場合、磁気/接触ＩＣカードリード部３２０は、そのＩＣチップの情報を読み取る。非接触ＩＣカードリード/ライト部３３０は、カード９００が非接触ＩＣカードの場合、非接触ＩＣカード（非接触ＩＣカード定期券）の情報を読み取り、あるいは、非接触ＩＣカードに情報を書き込む。印字／消去部３４０は、カード９００の表面の定期券情報を消去し、新たな定期券情報を印字する。ホッパ部３５０は、定期券に使用する非接触ＩＣカードを保管しておき、非接触ＩＣカード定期券の新規発行時に、非接触ＩＣカードを繰出す。回収部３６０は、読取不可のカード９００、または、顧客が取り忘れたカード９００を回収する。搬送路３８０、３８２及び挿入／排出部搬送路３９０は、カード９００を搬送するための搬送路である。制御部２００により制御される図示しないローラやベルトにより、カード９００は、搬送路３８０、３８２及び挿入／排出部搬送路３９０上を搬送される。
【００２６】
カード処理部電源回路３７０は、装置電源２４０と接続され、制御部２００の指示により各処理部３２０、３３０、３４０、３５０、３６０に電源を供給する。なお、挿入／排出部３１０には、装置電源２４０から直接電源が供給される。すなわち、本実施例では、自動券売機１０が起動していれば、挿入／排出部３１０は、電源供給状態にある。一方、各処理部３２０、３３０、３４０、３５０、３６０への電源供給は、制御部２００がカードセンサ３９１〜３９６からのカード９００の位置情報に基づいて、どの処理部３２０、３３０、３４０、３５０、３６０へ電源供給するかを制御する。
【００２７】
図４から図６は、カード処理部における動作の一例を示すフローチャートである。図７は、カード挿入時におけるカードの位置と電源の供給状態を模式的に示す説明図である。図８は、カード排出時におけるカードの位置と電源の供給状態を模式的に示す説明図である。
【００２８】
自動券売機１０が立ち上がると、ステップＳ１００において、図７（ａ）に示すように、挿入／排出部３１０への電源供給が開始される。これにより、自動券売機１０は、カード９００の受け入れが可能となる。なお、他の処理部３２０、３３０、３４０、３５０、３６０については、制御部２００からの制御により、この段階では電源供給が開始されない。ここで、図７に示すハッチングは、ハッチングが付された処理部への電源供給がされている状態であることを意味している。ステップＳ１０５において顧客によりカード９００がカード入出口１２０に挿入されたことをカードセンサ３９１が検知すると、ステップＳ１１０において、制御部２００は、挿入／排出部３１０にカード９００を取り込ませる。
【００２９】
ステップＳ１１５において、顧客操作パネル１７０が顧客からの取引指示を受けると、ステップＳ１２０において、制御部２００は、取引の内容に応じた処理指示をカード処理部３００送信し、取引内容に応じた処理を行う処理部にカード９００を搬送させる。
【００３０】
カード９００が搬送され、ステップＳ１２５において、カードセンサ３９２によりカード９００が検知されると、ステップＳ１３０において、制御部２００は、図７（ｂ）に示すように、磁気／接触ICカードリード部３２０への電源供給を開始させる。ステップＳ１３５において、磁気／接触ICカードリード部３２０は、カード９００を取り込む。ステップＳ１４０において、制御部２００は、カード９００が接触ＩＣカードか否かを判断する。カード９００が接触ＩＣカードか否かは、外部端子の有無により容易に判断が可能である。カード９００が接触ＩＣカードである場合には、ステップＳ１４５において、制御部２００は、カード９００内のＩＣチップの内容を読み取る。磁気／接触ICカードリード部３２０での処理後、カード９００は、次の処理部に搬送される。
【００３１】
カード９００が搬送され、ステップＳ１５０において、カードセンサ３９３によりカード９００が検知されると、制御部２００は、図７（ｃ）に示すように、ステップＳ１５５において、磁気／接触ＩＣカードリード部３２０への電源供給を停止させ、ステップＳ１６０において非接触ＩＣカードリード／ライト部３３０への電源供給を開始させる。ステップＳ１６５において、制御部２００は、カード９００が非接触ＩＣカードか否かを判断する。カード９００が非接触ＩＣカードか否かは、非接触でＩＣチップの読み書きができるか否かにより判断することが可能である。カード９００が非接触ＩＣカードである場合には、ステップＳ１７０において、制御部２００は、非接触ＩＣカードリード／ライト部３３０に対し、カード９００内のＩＣチップの内容、例えば旧定期券情報を読み取らせ、あるいはＩＣチップに新たな定期券情報を書き込ませる。非接触ＩＣカードリード／ライト部３３０での処理後、カード９００は、次の処理部に搬送される。
【００３２】
カード９００が搬送され、ステップＳ１７５において、カードセンサ３９４によりカード９００が検知されると、制御部２００は、図７（ｄ）に示すように、ステップＳ１８０において、非接触ＩＣカードリード／ライト部３３０への電源供給を停止させ、ステップＳ１８５において印字／消去部３４０への電源供給を開始させる。ステップＳ１９０において、制御部２００は、印字／消去部３４０に対し、カード９００の表面から定期券情報を消去させ、カード９００の表面に新たな定期券情報を印字させる。
【００３３】
ステップＳ１９５において、制御部２００は、カード９００を挿入／排出部３１０まで搬送させる。途中、ステップＳ２００において、図８（ａ）に示すように、カードセンサ３９４によりカード９００が検知されると、ステップＳ２０５において、制御部２００は、印字／消去部３４０への電源供給を停止させる。ここでは、カード９００が排出方向に搬送されているので、挿入／排出部３１０以外の処理部への電源供給がすべてオフされている。ステップＳ２１０において、制御部２００は、図８（ｂ）に示すように、挿入／排出部３１０に対し、カード入出口１２０からカード９００を排出させて、顧客にカード９００を返却させる。取引が終了したカード処理部３００は、再び、挿入/排出部３１０のみが電源供給状態となり、待機状態となる。
【００３４】
以上、本実施例によれば、カードセンサ３９１〜３９６によりカード９００の位置を検出し、制御部２００がカード９００の位置により、どの処理部に電源を供給するか制御するので、顧客の利便性の両立が可能となる。また、本実施例によれば、カードセンサ３９１〜３９６は、各処理部３１０、３２０、３３０、３４０、３５０、３６０の前（後）に配置されているので、制御部２００は、どの処理部３１０、３２０、３３０、３４０、３５０、３６０に電源を供給するか、容易に決めることが可能となる。例えば、制御部２００は、カード９００が通過した処理部３２０に対する電源供給を停止するので、自動券売機１０の省電力を図ることが可能となる。
【００３５】
また、本実施例によれば、図７（ｄ）と図８（ａ）を比較すればわかるように、同一のカード９００が同一の位置、例えばカードセンサ３９４により検知される位置にある場合でも、カード９００の移動方向により電源が供給される処理部が異なる。このように、制御部２００は、カードの移動方向により、各処理部３１０、３２０、３３０、３４０、３５０、３６０に対する電源供給の有無を切り替えるので、自動券売機１０の省電力を図ることが可能となる。
【００３６】
他の動作例１：
図９は、非接触ＩＣカード定期券発行時のカード処理部における動作を模式的に示す説明図である。顧客から顧客操作パネル１７０に対して非接触ＩＣカード定期券発行の取引が入力されると、制御部２００は、ホッパ部３５０に対しカード（非接触ＩＣカード）９００を繰り出させる。図９（ａ）に示すように、カード９００がカードセンサ３９５により検知されると、制御部２００は、印字／消去部３４０の電源を開始させる。制御部２００は、印字／消去部３４０に対し、カード９００の表面に定期券情報（乗車区間、有効期間等）を印字させる。
【００３７】
図９（ｂ）に示すように、カード９００がカードセンサ３９４により検知されると、制御部２００は、印字／消去部３４０の電源を停止させ、非接触ＩＣカードリード／ライト部３３０への電源供給を開始させる。制御部２００は、非接触ＩＣカードリード／ライト部３３０に対し、カード９００内のＩＣチップに定期券情報を書き込ませる。カード９００が、図９（ｃ）に示すように、カードセンサ３９３により検知させると、制御部２００は、非接触ＩＣカードリード／ライト部３３０への電源供給を停止させる。その後、制御部２００は、図９（ｄ）に示すように、挿入／排出部３１０に対し、カード入出口１２０からカード９００を排出させて、顧客にカード９００を返却させる。
【００３８】
以上、図８（ａ）と図９（ｂ）を比較すれば明らかなように、カード９００の移動方向が同じであっても、カード９００の更新処理とカード９００の発行処理のように、カード９００に対する処理内容が異なる場合では電源が供給される処理部が異なる。このように、制御部２００は、カード９００を移動させる方向が同じであっても、カード９００に対する処理内容を異ならせる場合には、電源を供給する処理部を異ならせ、不要な処理部に電源を供給させないことができるので、自動券売機１０の省電力を図ることが可能となる。
【００３９】
他の動作例２：
図１０は、カードの回収時の動作を模式的に示す説明図である。自動券売機１０が起動すると、図１０（ａ）に示すように、挿入／排出部３１０の電源供給が開始される。カード９００が搬送されて、カードセンサ３９２により検知されると、制御部２００は、図１０（ｂ）に示すように、磁気／接触ICカードリード部３２０への電源供給を開始させる。カード９００の回収時には、カードは、回収部３６０の方に搬送される。図１０（ｃ）に示すようにカードセンサ３９６がカード９００を検知すると、制御部２００は、回収部３６０への電源供給を開始させる。図１０（ｄ）に示すように、回収部３６０がカード９００を回収すると、制御部２００は、回収部３６０への電源供給を停止させる。
【００４０】
以上のように、搬送路３８０が分岐している場合には、制御部２００は、カード９００が搬送された方の分岐搬送路に沿って設けられた回収部３６０に対して電源を供給し、されなかった方の分岐搬送路に沿って設けられたすべての処理部３３０、３４０に対して電源を供給しない。したがって、不要な処理部には電源が供給されないので、省電力が可能となる。
【００４１】
他の動作例３：
本実施例では、被搬送体がカード９００である場合を説明したが、被搬送体は、他のもの、例えば、切符、磁気定期券、紙幣、硬貨であってもよい。図１１は、切符処理部４００の構成を示す説明図である。切符処理部４００は、挿入／排出部４１０の他に、ロール紙供給部４１５と、カット処理部４２０と、印字部４２５と、磁気処理部４３０と、定期券ホッパ部４３５と、パンチ処理部４４０と、赤色印字部４４５と、回収部４５０と、切符処理部電源４６０と、搬送路４７０と、挿入／排出部搬送路４７５と、切符／定期券センサ４８１〜４９１とを備える。ロール紙供給部４１５は磁性体が塗布された切符用ロール紙を供給し、カット処理部４２０は、切符用ロール紙を切符の大きさの紙片に切断する。定期券ホッパ部４３５は、定期券に用いる磁気カードを格納し、制御部２００からの指示により供給する。印字部４２５は、紙片あるいは定期券用磁気カードに乗車区間情報、有効期間情報を印字する。磁気処理部４３０は、紙片あるいは定期券用磁気カードに、乗車区間情報、有効期間情報を磁気記録する。パンチ処理部４４０は、回収する切符や定期券にパンチ穴を開けて再利用不可にする。赤色印字部４４５は、切符、定期券に変更がある場合に変更内容を印字する。回収部４５０は、切符や定期券を回収する。搬送路４７０と、挿入／排出部搬送路４７５は、切符や定期券磁気カードを搬送するために用いられる。切符／定期券センサ４８１〜４９１は、切符や磁気カードに位置を検知するために用いられる。
【００４２】
顧客により切符が購入されると、制御部２００は、ロール紙供給部４１５への電源供給を開始し、ロール紙を供給させる。ロール紙が切符／定期券センサ４８１により検知されると、制御部２００は、カット処理部４２０への電源供給を開始させる。カットされた紙片が切符／定期券センサ４８２により検知されると、制御部２００は、ロール紙供給部４１５への電源供給を停止させる。さらに、紙片が 切符／定期券センサ４８３により検知されると、制御部２００は、カット処理部４２０への電源供給を停止させ、印字部４２５への電源供給を開始させる。紙片が、切符／定期券センサ４８４により検知されると、制御部２００は、印字部４２５への電源供給を停止させ、磁気処理部４３０への電源供給を開始させる。紙片が、切符／定期券センサ４８５により検知されると、制御部２００は、磁気処理部４３０への電源供給を停止させる。このように、制御部２００は、各処理部４２０〜４３０の前にある切符／定期券センサ４８１〜４８４によりロール紙あるいは紙片が検知されたときに、各処理部４２０〜４３０への電源供給を開始させ、各処理部４２０〜４３０の後にある切符／定期券センサ４８２〜４８５によりロール紙あるいは紙片が検知されたときに、各処理部４２０〜４３０への電源供給を停止させる。したがって、不要な処理部に電源を供給しないので、自動券売機の省電力を図ることが可能となる。なお、定期券購入時の処理、切符／定期券回収時の処理についても同様である。
【００４３】
また、紙幣処理部５００、硬貨処理部６００においても、紙幣や硬貨の位置をセンサにより検知し、紙幣の判別部や回収部、硬貨の判別部や回収部（図示せず）への電源供給を制御することにより、自動券売機１０の省電力を図ることができる。
【００４４】
変形例：
本実施例では、挿入／排出部３１０、４１０、５１０、６１０への電源供給は、常時されている状態であったが、例えば、顧客検知センサ１８０により顧客を検知したときに、挿入／排出部３１０、４１０、５１０、６１０への電源供給を開始させ、顧客検知センサ１８０により顧客を検知しなかったときには、挿入／排出部３１０、４１０、５１０、６１０への電源供給を停止するように構成してもよい。これによりさらなる省電力化が可能となる。
【００４５】
以上、いくつかの実施例に基づいて本発明の実施の形態について説明してきたが、上記した発明の実施の形態は、本発明の理解を容易にするためのものであり、本発明を限定するものではない。本発明は、その趣旨並びに特許請求の範囲を逸脱することなく、変更、改良され得るとともに、本発明にはその等価物が含まれることはもちろんである。
【図面の簡単な説明】
【００４６】
【図１】本発明の実施例に係る自動券売機の外観を示す説明図である。
【図２】自動券売機の内部ブロック図である。
【図３】カード処理部３００の構成を模式的に示す説明図である。
【図４】カード処理部における動作の一例を示すフローチャートである。
【図５】カード処理部における動作の一例を示すフローチャートである。
【図６】カード処理部における動作の一例を示すフローチャートである。
【図７】カード挿入時におけるカードの位置と電源の供給状態を模式的に示す説明図である。
【図８】カード排出時におけるカードの位置と電源の供給状態を模式的に示す説明図である。
【図９】非接触ＩＣカード定期券発行時のカード処理部における動作を模式的に示す説明図である。
【図１０】カードの回収時の動作を模式的に示す説明図である。
【図１１】切符処理部４００の構成を示す説明図である。
【符号の説明】
【００４７】
１０…自動券売機
１１０…発券口
１２０…カード入出口
１２０…カード出入口
１３０…紙幣入出口
１４０…紙幣出口
１５０…硬貨投入口
１６０…硬貨放出口
１７０…顧客操作パネル
１８０…顧客検知センサ
２００…制御部
２１０…ＣＰＵ
２２０…メモリ
２３０…ハードディスク装置（ＨＤＤ）
２４０…装置電源
３００…カード処理部
３１０…挿入/排出部
３２０…磁気／接触ＩＣカードリード部
３３０…非接触ＩＣカードリード／ライト部
３４０…印字／消去部
３５０…ホッパ部
３６０…回収部
３７０…カード処理部電源
３８０、３８２…搬送路
３９０…挿入/排出部搬送路
３９１〜３９６…カードセンサ
４００…切符処理部
４１０…挿入/排出部
４１５…ロール紙供給部
４２０…カット処理部
４２５…印字部
４３０…磁気処理部
４３５…定期券ホッパ部
４４０…パンチ処理部
４４５…赤色印字部
４５０…回収部
４６０…切符処理部電源
４７０…搬送路
４７５…挿入／排出部搬送路
４８１〜４９１…切符／定期券センサ
５００…紙幣処理部
５１０…挿入／排出部
６００…硬貨処理部
６１０…挿入／排出部
７００…顧客操作部
９００…カード
【図１】
2010066940.tif 000003
【図２】
2010066940.tif 000004
【図３】
2010066940.tif 000005
【図４】
2010066940.tif 000006
【図５】
2010066940.tif 000007
【図６】
2010066940.tif 000008
【図７】
2010066940.tif 000009
【図８】
2010066940.tif 000010
【図９】
2010066940.tif 000011
【図１０】
2010066940.tif 000012
【図１１】
2010066940.tif 000013